(57)【要約】【課題】通し吊子の凹部側への雨水の浸入を抑制できて、水漏れを抑制できるキャップジョイントを提供すること。【解決手段】軒棟方向に延在する凹部と凸部が桁方向に交互に配設される第１及び第２凹凸屋根材１０,２０を、桁方向に間隔をおいて配置する。軒棟方向に延在する棟側キャップ７０及び軒側キャップを、第１及び第２凹凸屋根材１０,２０に跨ると共に軒棟方向に突き合わすように配置する。キャップジョイント５０を、棟側キャップ７０及び軒側キャップの突き合わせ部の内側に、その突き合わせ部を跨ぐように配設する。キャップジョイント５０が、第１凹凸屋根材１０と第２凹凸屋根材２０に跨るように配置される通し吊子３０の軒棟方向の両側で通し吊子３０の一方及び他方側側板３３,３５の外側を覆う第１及び第２側壁部５４,５５を備えるようにする。【選択図】図２
2019007294.tif 000002
【特許請求の範囲】
【請求項１】
軒棟方向に延在する第１凹部と第１凸部が桁方向に交互に配設される第１凹凸屋根材と、その第１凹凸屋根材に前記桁方向に間隔をおいて隣り合い、前記軒棟方向に延在する第２凹部と第２凸部が前記桁方向に交互に配設される第２凹凸屋根材との両方に跨ると共に前記軒棟方向に延在して互いに突き合わされるように配置される第１キャップ及び第２キャップの突き合わせ部の内側に、その突き合わせ部を跨ぐように配設されるキャップジョイントであって、前記第１凹凸屋根材と前記第２凹凸屋根材に跨るように配置される通し吊子の前記軒棟方向の両側で前記通し吊子の側板の外側を覆う側板外側被覆部を備える、キャップジョイント。
【請求項２】
前記突き合わせ部を塞ぐ部分に配置されるパッキンと、
前記側板外側被覆部の棟側に配置され、前記通し吊子の前記側板の内側に接触して前記側板に前記軒棟方向の外側の力を付与する側板内側接触部と、
を備える請求項１に記載のキャップジョイント。
【請求項３】
軒棟方向に延在する第１凹部と第１凸部が桁方向に交互に配設される第１凹凸屋根材と、
前記第１凹凸屋根材に前記桁方向に間隔をおいて隣り合うと共に、前記軒棟方向に延在する第２凹部と第２凸部が前記桁方向に交互に配設される第２凹凸屋根材と、
前記第１凹凸屋根材と前記第２凹凸屋根材とに跨るように配設される通し吊子と、
前記第１凹凸屋根材と前記第２凹凸屋根材とに跨るように前記通し吊子の上側に配設され、前記軒棟方向に延在して互いに突き合わされるように配置される第１キャップ及び第２キャップと、
前記第１キャップ及び前記第２キャップの突き合わせ部の内側であって前記通し吊子の外側に前記突き合わせ部を跨ぐように配設される請求項１又は２に記載のキャップジョイントと、
を備える屋根構造。
【請求項４】
前記第１キャップは、前記第２キャップよりも棟側に配設され、
前記キャップジョイントにおいて前記突き合わせ部を塞ぐ部分に設けられるパッキンと、
前記パッキンの棟側に設けられ、前記第１キャップの内側面と前記キャップジョイントの外側面との間に介在する棟側シーリング材と、
前記パッキンの軒側に設けられ、前記第２キャップの内側面と前記キャップジョイントの外側面との間に介在する軒側シーリング材と、
を備える請求項３に記載の屋根構造。
【発明の詳細な説明】
【技術分野】
【０００１】
本開示は、凹凸屋根に用いられるキャップジョイントと、それを用いた屋根構造に関する。
【背景技術】
【０００２】
特許文献１に記載されているように、屋根構造としては、凹凸屋根材を野路板上に設置しているものが知られている。この屋根構造は、凹凸屋根材の凸部の内面と野地板との間にスペースを形成できるので、屋根材と野地板との間の通気性を良好なものにできる。
【先行技術文献】
【特許文献】
【０００３】
【特許文献１】特開２０１４−７０３６５号公報
【発明の概要】
【発明が解決しようとする課題】
【０００４】
図９及び図１０は、凹凸屋根材１１０を用いた参考例の屋根構造１０１を説明するための図であり、より好ましい屋根構造を実現するための課題について説明する図である。図９に示すように、参考例の屋根構造１０１では、屋根の野地板１００に、複数の凹凸屋根材１１０が設置され、桁方向（Ｘ方向）に隣り合う２つの凹凸屋根材１１０の間には、桁方向の隙間１０３が生じる。
【０００５】
図１０は、参考例の屋根構造１０１の分解斜視図である。図１０に示すように、この屋根構造１０１では、通し吊子１３０が隣り合う２つの凹凸屋根材１１０に跨るように上記隙間１０３周辺に配置される。通し吊子１３０は、軒棟方向（Ｙ方向）に延在し、２つの凹凸屋根材１１０の間の桁方向の隙間１０３（図９参照）を被覆する。通し吊子１３０は、上側が開口する凹部１３９を有する。
【０００６】
矢印Ｅに示す方向に芯木１４０を移動させることで、凹部１３９には、芯木１４０が収容される。芯木１４０は、例えば樹脂材料で構成され、凹部１３９の軒棟方向の一端部から他端部まで軒棟方向に延在する。屋根構造１０１は、更に、棟側キャップ１７０と、軒側キャップ１８０を備える。棟側キャップ１７０及び軒側キャップ１８０を矢印Ｆ１,Ｆ２に示す方向に移動させることで、棟側キャップ１７０及び軒側キャップ１８０の夫々は、芯木１４０を覆うと共に互いに突き合わされるように設置され、軒棟方向に延在する。棟側キャップ１７０は、軒側キャップ１８０よりも棟側に位置する。棟側キャップ１７０及び軒側キャップ１８０の夫々は、通し吊子１３０における幅方向両側の側壁部の外面に沿うように当該外面を覆う側壁部を有する。
【０００７】
この屋根構造１０１では、棟側キャップ１７０及び軒側キャップ１８０が存在するので、通し吊子１３０の凹部１３９に雨水が浸入することを略防止でき、通し吊子１３０のねじ止め部や通し吊子１３０の突き合わせ部から水漏れが生じることを略防止できる。しかし、雨水が突き合わせ部を介して通し吊子１３０の凹部１３９側へ浸入することを更に確実に防止できると好ましい。
【０００８】
そこで、本開示の目的は、雨水が軒棟方向に隣接するキャップの突き合わせ部を介して通し吊子の凹部側へ浸入することを抑制でき、水漏れを抑制できるキャップジョイント、及びそのキャップジョイントを備える屋根構造を提供することにある。
【課題を解決するための手段】
【０００９】
上記課題を解決するため、本開示のキャップジョイントは、軒棟方向に延在する第１凹部と第１凸部が桁方向に交互に配設される第１凹凸屋根材と、その第１凹凸屋根材に桁方向に間隔をおいて隣り合い、軒棟方向に延在する第２凹部と第２凸部が桁方向に交互に配設される第２凹凸屋根材との両方に跨ると共に軒棟方向に延在して互いに突き合わされるように配置される第１キャップ及び第２キャップの突き合わせ部の内側に、その突き合わせ部を跨ぐように配設されるキャップジョイントであって、第１凹凸屋根材と第２凹凸屋根材に跨るように配置される通し吊子の軒棟方向の両側で通し吊子の側板の外側を覆う側板外側被覆部を備える。
【発明の効果】
【００１０】
本開示のキャップジョイント及び屋根構造によれば、雨水が軒棟方向に隣接するキャップの突き合わせ部を介して通し吊子の凹部側へ浸入することを抑制でき、水漏れを抑制できる。
【図面の簡単な説明】
【００１１】
【図１】本開示の一実施形態に係る屋根構造の分解斜視図であり、屋根構造における図１０に対応する分解斜視図である。
【図２】図８に示す施工が完了した状態の屋根構造における棟側キャップと軒側キャップの突き合わせ部よりも棟側のＤ-Ｄ線断面図である。
【図３】キャップジョイントの斜視図である。
【図４】屋根構造の施工過程を説明する図である。
【図５】屋根構造の施工過程を説明する図である。
【図６】屋根構造の施工過程を説明する図である。
【図７】屋根構造の施工過程を説明する図である。
【図８】屋根構造の施工過程を説明する図である。
【図９】凹凸屋根材を用いた参考例の屋根構造を説明する図である。
【図１０】参考例の屋根構造の分解斜視図である。
【発明を実施するための形態】
【００１２】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明及び図面において、Ｘ方向は桁方向を表し、Ｙ方向は軒棟方向を表し、Ｚ方向は屋根の法線方向を表す。Ｘ方向、Ｙ方向、及びＺ方向は、互いに直交する。
【００１３】
図１は、本開示の一実施形態に係る屋根構造１の分解斜視図であり、屋根構造１における図１０に対応する分解斜視図である。図１に示すように、屋根構造１は、第１凹凸屋根材１０、第２凹凸屋根材２０、通し吊子３０、芯木（桟木）４０、キャップジョイント５０、第１キャップとしての棟側キャップ７０、及び第２キャップとしての軒側キャップ８０を備える。第１凹凸屋根材１０は、例えば鋼板で構成され、第１凹部１１及び第１凸部１２を有する。第１凹部１１は上側に開口し、第１凸部１２は上側に突出する。第１凹部１１と第１凸部１２は、Ｘ方向に交互に配設される。第１凹部１１及び第１凸部１２の夫々は、Ｙ方向に延在する。第１凹凸屋根材１０は、複数の部分１３ａ,１３ｂからなり、Ｙ方向に隣り合う２つの部分１３ａ,１３ｂは、Ｙ方向長さがａである重ね代１４を有する。Ｙ方向に隣り合う２つの部分１３ａ,１３ｂは、重ね代１４領域において軒側の部分１３ｂが下になるように重ねられ、締結手段等で野地板に固定される。
【００１４】
第２凹凸屋根材２０は、例えば鋼板で構成され、第２凹部２１及び第２凸部２２を有する。第２凹部２１は上側に開口し、第２凸部２２は上側に突出する。第２凹部２１と第２凸部２２は、Ｘ方向に交互に配設される。第２凹部２１及び第２凸部２２の夫々は、Ｙ方向に延在する。第２凹凸屋根材２０は、複数の部分２３ａ,２３ｂからなり、Ｙ方向に隣り合う２つの部分２３ａ,２３ｂは、Ｙ方向長さがｂである重ね代２４を有する。長さｂは、長さａと同一でもよく、異なってもよい。Ｙ方向に隣り合う２つの部分２３ａ,２３ｂは、重ね代２４領域において軒側の部分２３ｂが下になるように重ねられ、締結手段等で図示しない野地板に固定される。
【００１５】
通し吊子３０は、板金等で構成され、第１及び第２凹凸屋根材１０,２０の間を覆うように棟から軒先までＹ方向に延在する。図２は、施工が完了した状態の屋根構造１（図８参照）における棟側キャップ７０と軒側キャップ８０の突き合わせ部９０よりも棟側のＤ-Ｄ線断面図である。図２に示すように、第１凹凸屋根材１０は、Ｘ方向一方側の端部に高さ方向起立部１５を有し、高さ方向起立部１５は、高さ方向延在部１６と、折返部１７を含む。高さ方向延在部１６は、桁方向延在部１８に傾斜部１９を介して接続され、Ｚ方向に延在する。また、折返部１７は、高さ方向延在部１６の上側端部からＺ方向下側に折り返され、Ｚ方向下側かつＸ方向他方側に斜めに傾斜する。また、同様に、第２凹凸屋根材２０は、Ｘ方向他方側の端部に高さ方向起立部２５を有し、高さ方向起立部２５は、高さ方向延在部２６と、折返部２７を含む。高さ方向延在部２６は、桁方向延在部２８に傾斜部２９を介して接続され、Ｚ方向に延在する。また、折返部２７は、高さ方向延在部２６の上側端部からＺ方向下側に折り返され、Ｚ方向下側かつＸ方向一方側に斜めに傾斜する。
【００１６】
通し吊子３０は、底板３１、一方側側方部３７、及び他方側側方部３８を有する。一方側側方部３７は、一方側高さ方向延在部３２と、一方側側板３３を含み、他方側側方部３８は、他方側高さ方向延在部３４と、他方側側板３５を含む。一方側高さ方向延在部３２は、底板３１のＸ方向一方側から第２凹凸屋根材２０の高さ方向延在部２６の内側面に沿うようにＺ方向上方に延在する。また、一方側側板３３は、一方側高さ方向延在部３２の上側端部からＺ方向下側に折り返され、Ｚ方向下側かつＸ方向一方側に斜めに傾斜する。一方側側板３３は、第２凹凸屋根材２０の折返部２７の外側面を被覆する。
【００１７】
他方側高さ方向延在部３４は、底板３１のＸ方向他方側から第１凹凸屋根材１０の高さ方向延在部１６の内側面に沿うようにＺ方向上方に延在する。また、他方側側板３５は、他方側高さ方向延在部３４の上側端部からＺ方向下側に折り返され、Ｚ方向下側かつＸ方向他方側に斜めに傾斜する。他方側側板３５は、第１凹凸屋根材１０の折返部１７の外側面を被覆する。その結果、通し吊子３０は、第１凹凸屋根材１０の折返部１７のＸ方向他方側から第２凹凸屋根材２０の折返部２７のＸ方向一方側まで存在し、第１及び第２凹凸屋根材１０,２０の間に跨るように配置される。
【００１８】
通し吊子３０は、上側が開口する凹部３９を有する。図１に示すように、芯木４０は、上側から矢印Ａに示す方向に移動させられ、通し吊子３０の凹部３９に収容される。芯木４０は、好ましくは樹脂で構成され、凹部３９内を棟から軒先まで延在する。
【００１９】
キャップジョイント５０は、上側から矢印Ｂで示す方向に移動させられ、Ｙ方向の一部領域に通し吊子３０の上側開口を覆うように配置される。キャップジョイント５０は、金属又は樹脂で構成される本体５１と、本体５１の外面に固定されるパッキン５２を含む。再度、図２を参照して、本体５１は、天板５３と、第１側壁部５４と、第２側壁部５５を含む。天板５３は、ＸＹ平面に略平行に広がる。また、第１側壁部５４は、天板５３のＸ方向一方側からＸ方向一方側かつＺ方向下側に傾斜するように延在し、第２側壁部５５は、天板５３のＸ方向他方側からＸ方向他方側かつＺ方向下側に傾斜するように延在する。本体５１は、下側に開口を有する等脚台形状のスペースを画定する。
【００２０】
キャップジョイント５０は、天板５３の下面が通し吊子３０の一方側及び他方側側方部３７,３８の上端に接触するまで、上側から通し吊子３０側に押し込まれる。この押し込みで、第１側壁部５４が、通し吊子３０の一方側側板３３からＸ方向外側の力を受けて外側に押し広げられるように変形し、第２側壁部５５が、通し吊子３０の他方側側板３５からＸ方向外側の力を受けて外側に押し広げられるように変形する。その結果、大きな静止摩擦力が、第１側壁部５４と一方側側板３３との間に生じると共に第２側壁部５５と他方側側板３５との間に生じ、キャップジョイント５０が通し吊子３０に確実に係止される。第１及び第２側壁部５４,５５は、通し吊子３０の一方側及び他方側側板３３,３５の外側を覆う側板外側被覆部を構成する。
【００２１】
図３は、キャップジョイント５０の斜視図である。図３に示すように、キャップジョイント５０を面対称にできる平面であって延在方向（設置時においてＹ方向に一致）と高さ方向（設置時においてＺ方向に一致）を含む平面Ｐが存在する。キャップジョイント５０の本体５１は、本体部６２と、突張部６３を含み、突張部６３は、本体部６２の棟側端部から棟側に突出する。キャップジョイント５０の天板５３は、平面視で矩形の天板本体部５３ａと、平面視で矩形の天板突出部５３ｂを有する。天板本体部５３ａは、本体部６２の上面で構成され、天板突出部５３ｂは、突張部６３の上面で構成される。天板突出部５３ｂは、幅方向の寸法及び延在方向の寸法が天板本体部５３ａよりも小さい。
【００２２】
本体５１は、第３及び第４側壁部５７,５８を突張部６３に有する。第３側壁部５７は、天板突出部５３ｂの幅方向一方側の端部から高さ方向下方側に延在し、第４側壁部５８は、天板突出部５３ｂの幅方向他方側の端部から高さ方向下方側に延在する。第３側壁部５７は、第１側壁部５４の棟側の端部から幅方向内側に延在する段部６０を介して延在方向の棟側に延在し、第４側壁部５８は、第２側壁部５５の棟側の端部から幅方向内側に延在する段部６１を介して延在方向の棟側に延在する。段部６０及び段部６１の夫々は、天板本体部５３ａにおける棟側の端面の一部で構成される。
【００２３】
キャップジョイント５０が通し吊子３０に押し込まれたとき、第３側壁部５７は、通し吊子３０の一方側高さ方向延在部３２の内側に配置され、一方側高さ方向延在部３２の内側面にＸ方向外側の力を付与する。また、同様に、キャップジョイント５０が通し吊子３０に押し込まれたとき、第４側壁部５８は、通し吊子３０の他方側高さ方向延在部３４の内側に配置され、他方側高さ方向延在部３４の内側面にＸ方向外側の力を付与する。換言すれば、キャップジョイント５０が通し吊子３０に押し込まれた際、突張部６３の第３及び第４側壁部５７,５８は、通し吊子３０の一方側及び他方側高さ方向延在部３２,３４を幅方向外側に押し広げるように通し吊子３０の凹部３９内で互いにＸ方向逆側に突っ張る。その結果、キャップジョイント５０が通し吊子３０に確実に係合して固定され、キャップジョイント５０が棟側から軒側に滑り落ちることが防止される。第３及び第４側壁部５７,５８は、側板内側接触部を構成する。
【００２４】
パッキン５２は、ゴム材で構成され、接着剤等で構成される取付手段により本体５１の本体部６２の延在方向の中央部に取り付けられる。パッキン５２は、幅方向に延在する一体の帯の形状を有し、天板５３に取り付けられた部分５２ａと、第１側壁部５４に取り付けられた部分５２ｂと、第２側壁部５５に取り付けられた部分５２ｃを含む。
【００２５】
再度、図１を参照して、キャップジョイント５０の設置後、棟側キャップ７０を矢印Ｃ１に示す方向に移動させ、軒側キャップ８０を矢印Ｃ２に示す方向に移動させる。このようにして、棟側キャップ７０及び軒側キャップ８０を、キャップジョイント５０を覆うと共に、Ｙ方向に付き合わせるように配置する。棟側及び軒側キャップ７０,８０の突き合わせ部がキャップジョイント５０のパッキン５２に接触するまで、棟側及び軒側キャップ７０,８０をキャップジョイント５０側に押し込む。この押し込みにより、棟側及び軒側キャップ７０,８０の設置が完了し、屋根構造１が構築される。
【００２６】
図４〜図８は、屋根構造１の施工過程を説明する図である。次に、図４〜図８を用いて、屋根構造１の施工手順の一例について説明する。なお、以下では、屋根構造１がシーリング材９１,９４,９５を用いて施工される場合について説明するが、シーリング材は、屋根構造１を施工する際に用いられなくてもよい。
【００２７】
先ず、図４に示すように、第１凹凸屋根材１０と第２凹凸屋根材２０との間のＸ方向隙間に通り吊子３０を設置する。該Ｘ方向隙間は、Ｙ方向に延在し、通り吊子３０は、Ｘ方向隙間に沿うようにＹ方向に延在する。図２に示すように、通り吊子３０が適切に設置されると、通し吊子３０の一方側高さ方向延在部３２が第２凹凸屋根材２０の高さ方向延在部２６の内側面に当接し、他方側高さ方向延在部３４が第１凹凸屋根材１０の高さ方向延在部１６の内側面に当接する。通り吊子３０の底部をねじで野地板に固定することで、通り吊子３０を野地板に固定する。
【００２８】
次に、図５に示すように、通り吊子３０の凹部３９（図２参照）内に芯木４０を収容する。その際、芯木４０の幅方向両側で芯木４０と凹部３９の側面との間に隙間が生じるようにする。そして、その後、Ｙ方向に関してキャップジョイント５０の設置領域全域で、かつ芯木４０の幅方向両側の当該隙間に、シーリング材９１を充填する。この充填は、例えばシリコンガンを用いてシリコン系のシーリング材を上記隙間に充填することで実行される。なお、シーリング材９１としては、シリコン系のシーリング材に限らず、ポリウレタン系のシーリング材や、アクリルウレタン系のシーリング材や、ポリサルファイド系のシーリング材等を使用してもよく、それ以外のシーリング材を使用してもよい。また、充填方法も、シリコンガンを用いる必要はない。
【００２９】
続いて、図６に示すように、キャップジョイント５０を上方から通り吊子３０側に押し込んで通り吊子３０に係止させる。この際、パッキン５２のＹ方向中央が第１及び第２凹凸屋根材１０,２０の重ね代１４,２４の上端に位置するようにキャップジョイント５０を設置すると好ましい。
【００３０】
その後、図７に示すように、Ｙ方向に関して上端の位置が第１及び第２凹凸屋根材１０,２０の重ね代１４,２４の上端に一致するように、軒側キャップ８０を上側からキャップジョイント５０側に押し込む。軒側キャップ８０の下面がキャップジョイント５０の上面に当接すると、軒側キャップ８０の設置が完了する。この状態で、軒側キャップ８０の側面は、通り吊子３０の側面とキャップジョイント５０の側面の両方から幅方向外側の力を受け、通り吊子３０の側面及びキャップジョイント５０の側面の両方に係止される。なお、図７において、点線９４は、軒側キャップ８０の取付前にキャップジョイント５０の表側面に塗布された軒側シーリング材を示す。軒側シーリング材９４は、パッキン５２よりも軒側において、第１側壁部５４の下端から天板５３を介して第２側壁部５５の下端までキャップジョイント５０を幅方向に横断するように塗布される。
【００３１】
最後に、図８に示すように、軒側の端面を軒側キャップ８０の棟側の端面に付き合わせるように棟側キャップ７０を上側からキャップジョイント５０側に押し込む。棟側キャップ７０の下面がキャップジョイント５０の上面に当接すると、棟側キャップ７０の設置が完了する。図２に示すように、この状態で、棟側キャップ７０の側面は、通り吊子３０の側面に接触する部分と、キャップジョイント５０の側面に接触する部分を有する。その結果、棟側キャップ７０の側面は、通り吊子３０の側面及びキャップジョイント５０の側面の両方から幅方向外側の力を受け、通り吊子３０の側面及びキャップジョイント５０の側面の両方に係止される。点線９５は、棟側キャップ７０の取付前にキャップジョイント５０の表側面に塗布された棟側シーリング材を示す。棟側シーリング材９５は、パッキン５２よりも棟側において、第１側壁部５４の下端から天板５３を介して第２側壁部５５の下端までキャップジョイント５０を幅方向に横断するように塗布される。軒側及び棟側シーリング材９４,９５は、シーリング材９１と同一のものを採用できるが、シーリング材９１と異なるものでもよい。突張部６３の第３及び第４側壁部５７,５８は、パッキン５２よりも棟側に位置し、パッキン５２のＹ方向中央のＹ方向位置は、突き合わせ部９０のＹ方向位置に一致する。その結果、突張部６３の第３及び第４側壁部５７,５８は、突き合わせ部９０よりも棟側に位置する。
【００３２】
上記実施形態によれば、Ｙ方向に延在する第１凹部１１と第１凸部１２がＸ方向に交互に配設される第１凹凸屋根材１０と、Ｙ方向に延在する第２凹部２１と第２凸部２２がＸ方向に交互に配設される第２凹凸屋根材２０が、Ｘ方向に間隔をおいて隣り合う。また、Ｙ方向に延在する棟側キャップ７０及び軒側キャップ８０を、第１凹凸屋根材１０と第２凹凸屋根材２０との両方に跨ると共に互いに突き合わすように配置する。そして、キャップジョイント５０が、棟側キャップ７０及び軒側キャップ８０の突き合わせ部９０の内側に、突き合わせ部９０を跨ぐように配設される。また、キャップジョイント５０は、第１凹凸屋根材１０と第２凹凸屋根材２０に跨るように配置される通し吊子３０の軒棟方向両側に通し吊子３０の一方及び他方側側板３３,３５の外側を覆う第１及び第２側壁部５４,５５（側板外側被覆部）を備える。
【００３３】
したがって、棟側キャップ７０及び軒側キャップ８０の突き合わせ部９０の内側に突き合わせ部９０を跨ぐように配設されるキャップジョイント５０で、雨水が突き合わせ部９０を介して外側から内側に浸入することを抑制できる。更には、キャップジョイント５０が、通し吊子３０の幅方向の両側板３３,３５の外側を覆う第１及び第２側壁部５４,５５を備える。よって、仮に雨水が突き合わせ部９０を介して外側から内側に浸入したとしても、その雨水が、第１及び第２側壁部５４,５５を伝って通し吊子３０の幅方向両側に流れ、通し吊子３０の凹部３９内に浸入しにくい。その結果、通し吊子３０のねじ止め部や通し吊子３０の突き合わせ部からの水漏れを抑制できる。
【００３４】
また、キャップジョイント５０が、突き合わせ部９０を塞ぐ部分に配置されるパッキン５２と、第１及び第２側壁部５４,５５の棟側に配置される第３及び第４側壁部５７,５８を備えてもよい。また、第１及び第２側壁部５４,５５が、通し吊子３０の一方及び他方側側板３３,３５の内側に接触して一方及び他方側側板３３,３５に軒棟方向外側の力を付与してもよい。
【００３５】
上記構成によれば、パッキン５２が突き合わせ部９０を塞ぐ部分に配置されるので、突き合わせ部９０を介した雨水の浸入を更に確実に抑制できる。また、第３及び第４側壁部５７,５８を通し吊子３０の一方及び他方側側板３３,３５の内側に突っ張らせるように係止できるので、キャップジョイント５０が通し吊子３０に対して下側に滑り落ちることを抑制できる。したがって、キャップジョイント５０をねじ止め等しなくても滑り落ちない構造とでき、施工性及び防水性を良好なものとできる。更には、上述の実施形態のように、第３及び第４側壁部５７,５８を突き合わせ部９０よりも棟側（上側）に位置させることにより、突き合わせ部９０を通過した雨水が第３及び第４側壁部５７,５８を伝って通し吊子３０の凹部３９に浸入することも防止できる。
【００３６】
また、屋根構造１が、Ｙ方向に延在する第１凹部１１と第１凸部１２がＸ方向に交互に配設される第１凹凸屋根材１０を備える。また、屋根構造１が、第１凹凸屋根材１０にＸ方向に間隔をおいて隣り合うと共に、Ｙ方向に延在する第２凹部２１と第２凸部２２がＸ方向に交互に配設される第２凹凸屋根材２０を備える。また、屋根構造１が、第１凹凸屋根材１０と第２凹凸屋根材２０とに跨るように配設される通し吊子３０を備える。また、屋根構造１が、第１凹凸屋根材１０と第２凹凸屋根材２０とに跨るように通し吊子３０の上側に配設され、Ｙ方向に延在して互いに突き合わされるように配置される棟側キャップ７０及び軒側キャップ８０を備える。また、屋根構造１が、棟側キャップ７０及び軒側キャップ８０の突き合わせ部９０の内側であって通し吊子３０の外側に突き合わせ部９０を跨ぐように配設されるキャップジョイント５０を備える。
【００３７】
上記構成によれば、雨水が棟側キャップ７０と軒側キャップ８０との突き合わせ部９０を介して外部から内部に浸入することをキャップジョイント５０で抑制でき、通し吊子３０のねじ止め部やＹ方向に隣接する通し吊子３０の突き合わせ部からの水漏れを抑制できる。更には、棟側及び軒側キャップ７０,８０とは別個に、キャップジョイント５０を設けることにより、第１及び第２凹凸屋根材１０,２０自体は、水上、水下の方向性が発生せず、施工性を良くできる。
【００３８】
また、屋根構造１では、棟側キャップ７０は軒側キャップ８０よりも棟側に配設される。また、屋根構造１は、キャップジョイント５０において突き合わせ部９０を塞ぐ部分に設けられるパッキン５２と、パッキン５２の棟側に設けられ、棟側キャップ７０の内側面とキャップジョイント５０の外側面との間に介在する棟側シーリング材９５とを、備えてもよい。また、屋根構造１は、パッキン５２の軒側に設けられ、軒側キャップ８０の内側面とキャップジョイント５０の外側面との間に介在する軒側シーリング材９４を備えてもよい。
【００３９】
上記構成によれば、上述のように、棟側キャップ７０と軒側キャップ８０の突き合わせ部９０を介した外部から内部への雨水の浸入をパッキン５２によって更に確実に抑制できる。また、外部の雨水が上記突き合わせ部９０を介して内部に浸入したとしても、棟側及び軒側キャップ７０,８０とキャップジョイント５０との間に介在する軒側及び棟側シーリング材９４,９５で、内部に浸入した雨水が通し吊子３０の凹部３９内に浸入することを抑制できる。よって、パッキン５２及び軒側及び棟側シーリング材９４,９５による二重防水構造を実現でき、それらの相乗効果により水漏れ抑制効果を優れたものにできる。
【００４０】
更には、Ｙ方向に関してキャップジョイント５０の設置領域全域で、芯木４０の幅方向両側において、芯木４０と通し吊子３０との隙間に、シーリング材９１を充填してもよく、この場合、雨水が通し吊子３０の凹部３９に更に浸入しにくくなる。よって、三重防水構造を構築でき、通し吊子３０のねじ止め部や通し吊子３０の突き合わせ部からの水漏れを略防止できる。
【００４１】
尚、本開示は、上記実施形態およびその変形例に限定されるものではなく、本願の特許請求の範囲に記載された事項およびその均等な範囲において種々の改良や変更が可能である。
【００４２】
例えば、上記実施形態では、キャップジョイント５０が、本体５１の外面に固着されたパッキン５２を備える場合について説明したが、キャップジョイントは、パッキンを備えなくてもよい。
【００４３】
また、キャップジョイント５０が、棟側に突出する突張部６３を備える場合について説明したが、キャップジョイント５０は、棟側に突出する突張部６３を備えなくてもよい。なお、この場合、通し吊子の側板の外側を覆う側板外側被覆部を構成する第１及び第２側壁部で、通し吊子の側板の外側を幅方向内側に押圧する構成にすると、第１及び第２側壁部で通し吊子に係止でき、キャップジョイントの滑り落ちを防止できる。よって、キャップジョイントをねじ止め等しなくても滑り落ちない構造とでき、施工性及び防水性が良好なものとなる。
【００４４】
また、Ｙ方向に関してキャップジョイント５０の設置領域全域で、芯木４０の幅方向両側の隙間に、シーリング材９１を充填する場合について説明した。しかし、芯木の幅方向両側の隙間に、シーリング材を充填しなくてもよい。また、軒側シーリング材９４を、キャップジョイント５０の本体５１におけるパッキン５２よりも軒側に塗布する場合について説明したが、軒側シーリング材を、キャップジョイントの本体におけるパッキンよりも軒側に塗布しなくてもよい。また、棟側シーリング材９５を、キャップジョイント５０の本体５１におけるパッキン５２よりも棟側に塗布する場合について説明したが、棟側シーリング材を、キャップジョイントの本体におけるパッキンよりも棟側に塗布しなくてもよい。
【符号の説明】
【００４５】
１  屋根構造、  １０  第１凹凸屋根材、  １１  第１凹部、  １２  第１凸部、  ２０  第２凹凸屋根材、  ２１  第２凹部、  ２２  第２凸部、  ３０  通し吊子、  ３３  通し吊子の一方側側板、  ３５  通し吊子の他方側側板、  ５０  キャップジョイント、  ５２  パッキン、  ５４  キャップジョイントの第１側壁部（側板外側被覆部）、  ５５  キャップジョイントの第２側壁部（側板外側被覆部）、  ５７  キャップジョイントの第３側壁部（側板内側接触部）、  ５８  キャップジョイントの第４側壁部（側板内側接触部）、  ７０  棟側キャップ（第１キャップ）、  ８０  軒側キャップ（第２キャップ）、  ９０  突き合わせ部、  ９４  軒側シーリング材、  ９５  棟側シーリング材、  Ｘ方向  桁方向、  Ｙ方向  軒棟方向。
【図１】
2019007294.tif 000003
【図２】
2019007294.tif 000004
【図３】
2019007294.tif 000005
【図４】
2019007294.tif 000006
【図５】
2019007294.tif 000007
【図６】
2019007294.tif 000008
【図７】
2019007294.tif 000009
【図８】
2019007294.tif 000010
【図９】
2019007294.tif 000011
【図１０】
2019007294.tif 000012